(57)【要約】【課題】打撃板を円滑かつ簡便な方法によりあらゆる方向に傾斜させる事を可能とするゴルフ練習台を安価に製作，提供する。【解決手段】打撃板下部に取り付けたクロスする半円状歯車の片方をリング形状とし，他方をリング内径以下の径とする事により，両半円状歯車を各軸方向に回転可能とし，歯車は基板上の支持装置に設置されたギア付き減速モーターにより前後方向，左右方向に回転させることで，3次元あらゆる方向の打撃板の傾斜を可能とする。また，打撃板に設置されたボール設置装置はあらゆる傾斜に対してもボール設置可能とする。【選択図】図３
2019136560.tif 000002
【特許請求の範囲】
【請求項１】
打撃板と、当該打撃板の下部に設置された径が異なりクロスした２つの半円状歯車、及び底部基礎板と当該基礎板上に取り付けられた２つの歯車受けとを有するゴルフ練習台であって、前記２つの半円状歯車は軸方向には回転できるように配置されており、前記打撃板は、前記２つの半円状歯車の弦と前記歯車受け部により支持され、前記２つの半円状歯車の幾何学的摺動特性を利用する事により、前記打撃板に円滑かつ簡便にあらゆる方向に傾斜を与えることを可能とすることを特徴とするゴルフ練習台。
【請求項２】
基礎板と、当該基礎板上にクロスして取り付けられた２つの支持装置と、当該支持装置上部に噛み合う径が異なり軸方向には回転できるようにクロスさせた２つの半円状歯車及び当該半円状歯車が取り付けられた打撃板とからなるゴルフ練習台であって、前記２つの支持装置に取り付けられた歯車付き駆動装置により、２つの前記半円状歯車を径方向に回転させることにより、前記打撃板に円滑かつ簡便に任意方向、任意角度の傾斜を与えることが可能なことを特徴とするゴルフ練習台。
【請求項３】
打撃板があらゆる方向に傾斜した場合でも、打撃板前方に取り付けられた自由接続器を用いて常に鉛直方向を向く事により、ボールを安定に置く事を可能とした特徴を有する請求項１及び２に記載のゴルフ練習台。
【発明の詳細な説明】
【技術分野】
【０００１】
本発明は、ゴルフにおける様々な傾斜でのゴルフショット練習を可能にする装置に関する。
【背景技術】
【０００２】
いわゆる打ちっ放しと呼ばれるゴルフ練習場では，平坦な床の上に人工芝のマットにボールを置いたショットの練習を行う。しかしながら，実際のゴルフコースでは，爪先上がりや爪先下がり、また左足上がりや左足下がりなど、様々な状態（ライ）に対応しなければならない。
【０００３】
ライが爪先上がりの場合，クラブの軌跡でできるスイング面は，平坦なライに比較して爪先上がりの角度分平面に近づき，その結果ボールは平坦な場合に対して左方向に飛ぶ。ライが爪先下がりの場合は，逆に右方向に飛ぶ。また，左足上がりの場合，クラブのロフト角が大きくなったように作用し，平坦の場合と同じスイングが出来たとすれが，ボールは高く上がり飛距離は短くなる。逆に右足上がりの場合，ボールの高さは低く，飛距離が伸びる。
【０００４】
実際のコースのようなライを想定してショットの練習を行う練習台も発明されているが，打撃台に傾斜を与えるための昇降機には，油圧シリンダなど比較的大がかりな機器が想定されている（例えば，特許文献，非特許文献１）。
【０００５】
また，複数の駆動モーターを用いた練習機もあるが，制御機構は比較的複雑であり，打者の搭乗する打撃板の支持箇所は中心部の小領域に限られている（例えば，非特許文献２）。
【先行技術文献】
【特許文献】
【０００６】
【特許文献１】特開２０１２−１０５７８８号  公報
【非特許文献】
【０００７】
【非特許文献１】実用新案登録第３１６２０１９号  公報
【非特許文献２】実用新案登録第３１０９３９８号  公報
【発明の概要】
【発明が解決しようとする課題】
【０００８】
ゴルフのラウンドのショットにおいて体験するあらゆる傾斜を円滑かつ簡便な方法により造り出す打撃台を安価に製作することを課題とする。
【課題を解決するための手段】
【０００９】
打撃板の下部に，前後方向及び左右方向の各軸に垂直な方向には回転可能とした半円状歯車を取り付け，２つの半円状歯車の組み合わせによる幾何学特性を利用した簡便な方法により，これら打撃板及び打撃者を保持すると共に半円状歯車を回転させる減速モーターを取り付けた支持装置が設置された基礎板で構成する。
【００１０】
２組の半円状歯車を独立に回転させるために，両半円状歯車の径を異なるものとし，径の長い方の半円状歯車については，短い方の回転を阻害する事が無いように，短い方の半円状歯車が回転する円弧分をリング状に形成し，短い方の半円状歯車の径をリングの内径以下の寸法とする。
【００１１】
打撃者はこれら装置の支持装置上部に構える。前部右端に設置される制御装置で減速モーターのスイッチにより所望の任意の方向の傾斜になるように設定する。先端中央端には，下部の重りと球面軸受により，任意立体角内は常に鉛直方向に向くボール設置装置上の円柱ゴムティー上にボールを置いてショットする。
【発明の効果】
【００１２】
本発明のゴルフ練習台は，打撃者が打撃板上に置かれたスイッチコントロールにより所望の方向・角度の傾斜をスムーズに設定できる。
【００１３】
ボールは常に鉛直方向に向くボール設置装置のゴムティーに置く事ができ，実状のゴルフコースで遭遇する状況の練習が可能となる。
【図面の簡単な説明】
【００１４】
【図１】正面図，傾斜を持たせない初期状態での実施形態例である。
【図２】側面図，傾斜を持たせない初期状態での実施形態例である。
【図３】側面図，爪先上がりの実施形態例である。
【図４】摺動部の斜視外観図である。
【図５】平面図。左側は，側面図１に示した直線A-A’線断面図である。
【図６】ボール設置装置の拡大図。平面図５に示した直線B-B’線断面図である。
【発明を実施するための形態】
【００１５】
以下，本発明の実施の形態を図１〜図６に基づいて説明する。
【実施例１】
【００１６】
図１は、本発明装置の正面図，図２は，同一形態の側面図で，傾斜を持たせない初期状態における実施形態例である。
【００１７】
本発明ゴルフ練習台は，各図で示される最下部の基板１に設置された前後方向と左右方向の傾斜を受け持つと共に上部の人工芝マット３が設置された打撃板２と打撃者を支持する2組の摺動装置4a〜8a及び4b〜8bと，ボール設置装置９，制御装置１０で構成される。
【実施例２】
【００１８】
図３は，爪先上がりの実施形態例を示す側面図である。打撃者は，打撃板２に張られたマット３の摺動部上部に立ち，打撃板右端に置かれた制御装置１０のスイッチを押す事により実施形態例図３に示すように打撃板を傾斜させる。
【００１９】
図４は，打撃板が爪先上がりと右足上がりの複合の傾斜とした場合の，右前からの摺動部の斜視外観図を示している。
【００２０】
図５は，平面図である。左側は側面図１に示した直線A-A’線断面図であり，摺動部の構造を示している。右側は上部平面図であり，先端中央部にボール設置装置９が，右側端に制御装置１０が置かれる。
【００２１】
図６は，ボール設置装置９の拡大図である。ボール設置装置は，球面軸受１１と重り１２，ボール設置用ゴムティー１３からなり，自由支持器１１は取り付け治具１４に取り付けられ打撃台２に固定される。ボール１５及び重り１２は，球面軸受１１により，打撃台がいかなる傾斜を持った場合でも，常に鉛直方向を向く。
【００２２】
以上のように，打者は，打撃板２上のマット上で，手，もしくはクラブの先で制御装置１０のスイッチを押し，爪先上がり，右足上がり及びその複合，さらにはその逆傾斜など所望のあらゆる傾斜をスムーズに容易にセットできる。このときボール設置装置１０のゴムティー１３は常に鉛直方向を向いており，ボールを設置後アドレス，ショットを行う事が出来る。
【符号の説明】
【００２３】
１    基礎板
２    打席板
３    マット
４a，４b    歯車受け
５a，５b    半円状歯車
６a，６b    歯車付き減速モーター
７a，７b    支持ローラー
８a，８b    半円状歯車回転支持具
９    ボール設置装置
１０  制御装置
１１  球面軸受
１２  重り
１３  ゴムティー
１４  取り付け治具
１５  ボール
【図１】
2019136560.tif 000003
【図２】
2019136560.tif 000004
【図３】
2019136560.tif 000005
【図４】
2019136560.tif 000006
【図５】
2019136560.tif 000007
【図６】
2019136560.tif 000008